(57)【要約】【課題】室内の状況に応じて適切に除湿モードを設定できる空気調和機を提供する。【解決手段】空気調和機は、室内の人を検知する人検知手段と、検知された人の活動量を検知する活動量検知手段と、検知された人の活動量に応じて、弱冷房除湿運転と再熱除湿運転とを切り替える空調制御手段と、を有する。【選択図】図５
2016176653.tif 000002
【特許請求の範囲】
【請求項１】
室内の人を検知する人検知手段と、
前記人検知手段で検知された人の人数に応じて、冷房運転と再熱除湿運転とを切り替える空調制御手段と、を有する
ことを特徴とする空気調和機。
【請求項２】
室内の人を検知する人検知手段と、
前記人検知手段で検知された人の活動量を検知する活動量検知手段と、
前記活動量検知手段で検知された人の活動量に応じて、冷房運転と再熱除湿運転とを切り替える空調制御手段と、を有する
ことを特徴とする空気調和機。
【請求項３】
前記空調制御手段は、前記人検知手段で検知された人が所定人数以上であれば、前記冷房運転を行い、前記人検知手段で検知された人が所定人数未満であれば、前記再熱除湿運転を行う
ことを特徴とする請求項１に記載の空気調和機。
【請求項４】
前記空調制御手段は、前記活動量検知手段で検知された人の活動量が所定活動量以上であれば、前記冷房運転を行い、前記活動量検知手段で検知された人の活動量が所定活動量未満であれば、前記再熱除湿運転を行う
ことを特徴とする請求項２に記載の空気調和機。
【請求項５】
前記空調制御手段は、前記人検知手段で人が検知されない場合、前記冷房運転を行う
ことを特徴とする請求項１または請求項２に記載の空気調和機。
【請求項６】
室内の人を検知する人検知手段と、
前記人検知手段で検知された人までの距離が所定距離以上であれば、冷房運転を行い、前記人検知手段で検知された人までの距離が所定距離未満であれば、再熱除湿運転を行う空調制御手段と、を有する
ことを特徴とする空気調和機。
【請求項７】
室外温度を検知する室外温度検知手段を有し、
前記空調制御手段は、前記室外温度検知手段で検知された室外温度が所定範囲内である場合、前記冷房運転と前記再熱除湿運転とを切り替える
ことを特徴とする請求項１から請求項４のいずれか１項に記載の空気調和機。
【請求項８】
室外温度を検知する室外温度検知手段と、
室内温度を検知する室内温度検知手段と、を有し、
前記空調制御手段は、前記室外温度と前記空気調和機の設定温度との温度差、または、前記室外温度と前記室内温度との温度差が所定範囲内である場合に、前記冷房運転と前記再熱除湿運転とを切り替える
ことを特徴とする請求項１から請求項４のいずれか１項に記載の空気調和機。
【請求項９】
前記再熱除湿運転の代わりに室内熱交換器の一部のみを冷やす一部分冷房運転を行う
ことを特徴とする請求項１から請求項６のいずれか１項に記載の空気調和機。
【請求項１０】
前記空調制御手段は、前記人検知手段で検知された人が所定人数未満の場合に、室内ファンの風量を所定範囲内にする
ことを特徴とする請求項１に記載の空気調和機。
【請求項１１】
前記空調制御手段は、前記活動量検知手段で検知された人の活動量が所定活動量未満の場合に、室内ファンの風量を所定範囲内にする
ことを特徴とする請求項２に記載の空気調和機。
【請求項１２】
前記空調制御手段は、前記人検知手段で検知された人までの距離が所定距離未満の場合に、室内ファンの風量を所定範囲内にする
ことを特徴とする請求項６に記載の空気調和機。
【発明の詳細な説明】
【技術分野】
【０００１】
本発明は、複数の除湿モードを搭載する空気調和機に関する。
【背景技術】
【０００２】
空気調和機の除湿モードとしては、室内風量を下げた状態で冷房運転サイクルを行う弱冷房除湿運転と、室内サイクルの途中に絞り機構を設け、放熱の一部を室内サイクルで行うことで、吹出し空気温度の低下を抑制しつつ除湿を行う再熱除湿運転の二種類に大別される。
【０００３】
また、近年の空気調和機は、特許文献１のように、在室者の人数、活動量などを検知する手段を有し、部屋の状況に応じ快適性を損なわず、消費電力を抑えた節電運転を行う機能を搭載している。
【先行技術文献】
【特許文献】
【０００４】
【特許文献１】特開２０１３−２５３７１７号公報
【発明の概要】
【発明が解決しようとする課題】
【０００５】
空気調和機の除湿モードの１つである弱冷房除湿運転については、消費電力は低いが空気調和機から吹き出す風は冷風となるため、特に在室者が少なく、また動きも少ないような状況では、運転を続けると室温が徐々に低下していき、肌寒く感じる。そのため、室温が設定温度よりも下がると運転を停止し、室温の低下を防ぐが、室温が上昇するまで除湿を行わない状態となる。
【０００６】
一方で、再熱除湿運転は、室内サイクルの途中に絞り機構を設け、通常の冷房では室外で行う放熱を、一部室内サイクルにて行い、その後の絞り機構以降のサイクルで除湿を行うことにより、空気調和機から吹き出す風を冷やさずに除湿を行うことができるが、一般に弱冷房除湿運転よりも消費電力は高くなる。
【０００７】
このように、弱冷房除湿運転は、消費電力は低いが、室内の負荷が小さいような状況では室温が低下し、除湿も行わなくなる。一方で、再熱除湿運転は、室温の低下は無いが消費電力が高いという課題がある。
【０００８】
本発明は、前記の課題を解決するための発明であって、室内の状況に応じて適切に除湿
モードを設定できる空気調和機を提供することを目的とする。
【課題を解決するための手段】
【０００９】
前記目的を達成するため、本発明の空気調和機は、室内の人を検知する人検知手段（例えば、人検知部３２）と、人検知手段で検知された人の人数に応じて、冷房運転と再熱除湿運転とを切り替える空調制御手段（例えば、空調制御部３５）と、を有することを特徴とする。また、室内の人を検知する人検知手段と、人検知手段で検知された人の活動量を検知する活動量検知手段（例えば、活動量検知部３３）と、活動量検知手段で検知された人の活動量に応じて、冷房運転と再熱除湿運転とを切り替える空調制御手段と、を有することを特徴とする。本発明のその他の態様については、後記する実施形態において説明する。
【発明の効果】
【００１０】
本発明によれば、室内の状況に応じて適切に除湿モードを設定できる。
【図面の簡単な説明】
【００１１】
【図１】本実施形態に係る空気調和機の全体構成を示す図である。
【図２】本実施形態に係る空気調和機の冷凍サイクル系統図を示す図である。
【図３】本実施形態に係る空気調和機の制御部の構成を示す図である。
【図４】実施形態１の室内の人数と活動量による除湿モードの選択を示す図である。
【図５】実施形態１のモード設定部の処理を示すフローチャートである。
【図６】実施形態２の室内の人までの距離による除湿モードの選択を示す図である。
【図７】実施形態２のモード設定部の処理を示すフローチャートである。
【図８】実施形態３の室外温度による除湿モードの選択を示す図である。
【図９】実施形態３のモード設定部の処理を示すフローチャートである。
【図１０】実施形態４の室外温度と室内温度（設定温度）との温度差による除湿モードの選択を示す図である。
【図１１】実施形態４のモード設定部の処理を示すフローチャートである。
【発明を実施するための形態】
【００１２】
本発明を実施するための実施形態について、適宜図面を参照しながら詳細に説明する。
図１は、本実施形態に係る空気調和機の全体構成を示す図である。空気調和機ＡＣは、室内機２０、室外機１０、および室内機２０に操作信号を送信するリモコン４０を備える。室内機２０および室外機１０は、接続配管６０で接続される。室内機２０は、筐体２１内に、後記する室内熱交換器２３（図２参照）等の内部構造体を備える。空気調和機ＡＣは、室内空気を空気吸込口２７から吸い込み、室内熱交換器２３で加熱、冷却、除湿等された室内空気を、空気吹出口２９から室内に吹き出すことにより、室内を空気調和する。
【００１３】
また、室内機２０には、センサ部５０（図３参照）のひとつである撮像部２５を有する。撮像部２５は、例えばＣＣＤ（Charge Coupled Device）イメージセンサであり、前面パネルの左右方向中央の下部に設置されている。なお、室内機２０には、撮像部２５のほかにサーモパイル等の温度検知部を有していてもよい。後記する制御部３０（図３参照）は、撮像部１１０およびサーモパイルの少なくともひとつを用いて室内の人（在室者）の人数、活動量を検知する。制御部３０は、冷房運転・暖房運転において、在室者の状況に応じて設定温度等を変化させ、快適性を維持しつつ消費電力を抑えた運転を行う制御をする。
【００１４】
図２は、本実施形態に係る空気調和機の冷凍サイクル系統図を示す図である。室内機２０に内蔵される室内熱交換器２３は、途中に除湿用絞り機構２４を有し、除湿絞り機構２４の前側（図２において下側）の室内熱交換器を２３a、後ろ側（図２において上側）の室内熱交換器を２３ｂとする。また、室外機１０には圧縮機１１、冷暖切換え弁１２（四方弁）、室外熱交換器１５、室外絞り機構１８を有する。
【００１５】
冷房運転時は、圧縮機１１の吐出する高温冷媒を冷暖切換え弁１２、室外熱交換器１５、室外絞り機構１８、室内熱交換器２３ａ、除湿絞り機構２４、室内熱交換器２３ｂ、冷暖切換え弁１２の順に循環させ、圧縮機１１に吸入させる。一般的な冷房運転においては、室外絞り機構１８を絞り、室内絞り機構２４は全開にすることで、室内熱交換器２３ａ、２３ｂ共に冷却し熱交換することで、室内機２０から冷風を吹き出す。
【００１６】
また、いわゆる弱冷房除湿運転も、冷房運転と同じ動きであり、冷媒の循環量、室内機からの風量を抑えて肌寒さを抑える運転となる。なお、一般的に弱冷房除湿運転を搭載した空気調和機には除湿用絞り機構２４は不要であるため搭載されていない。
【００１７】
一方で、いわゆる再熱除湿運転においては、室外絞り機構１８を全開に近い状態にし、除湿絞り機構２４を絞ることで、室内熱交換器２３ａは加熱状態、室内熱交換器２３ｂは冷却状態にし、これらの熱交換量を調整することで室内機からの吹き出し空気を冷やすことなく、室内熱交換器２３ｂで除湿を行うものである。
【００１８】
このように、弱冷房除湿運転は、室内機２０からの吹き出す空気は冷たくなるが、室内熱交換器２３全体で除湿でき、圧縮機１１も低回転で運転することから消費電力は低くなる。一方、再熱除湿運転は、室内熱交換器２３の一部を加熱、他方を冷却するため室内機２０の吹き出す空気は冷たくすることなく除湿することはできるが消費電力は高くなる。
【００１９】
そこで、本実施形態では、除湿運転時に、撮像部２５等の撮像画像に基づいて、室内の人（在室者）の人数、活動量を検知して室内の負荷を推定し、室内の在室者の人数が多い、活動量が大きい等、室内の負荷が大きく弱冷房除湿運転でも室温の低下が起きにくい状況では弱冷房除湿運転を行い、逆に在室者が少ない、活動量が小さい等、室内の負荷が小さい状況では再熱除湿運転を行う。
【００２０】
図３は、本実施形態に係る空気調和機の制御部の構成を示す図である。制御部３０は、電装品に備えられている。制御部３０は、送受信部２６（図１参照）を介してリモコン４０からの情報と、センサ部５０からの情報に基づき、室内機２０の送風ファン２０１、左右風向板２０２、上下風向板２０３を駆動し、室外機１０の圧縮機１０１、プロペラファン１０２を駆動する。
【００２１】
センサ部５０は、室内機２０と室外機１０に備えられている。センサ部５０は、室温センサ（温度検知部）、外気温センサ、湿度センサ、冷媒配管温度センサ、圧縮機温度センサ、撮像部２５（図１参照）、時計などにより構成される。
【００２２】
制御部３０は、撮像部２５を制御する撮像制御部３１と、撮像部２５で撮影された画像に基づいて、室内の人の位置を検知する人検知部３２と、人検知部３２で検知された人の活動量を検知する活動量検知部３３と、暖房・冷房等の運転モードを選択・設定するモード設定部３４と、モード設定部３４の設定に応じて空調制御をする空調制御部３５と、記憶部３６とを有する。なお、ユーザがリモコン４０の自動運転ボタンを押すことで、センサ部５０の検知結果に基づいて、自動で冷房、暖房、除湿等を選択し、設定温度等も調整する自動運転を開始する。
【００２３】
記憶部３６は、例えば、ＲＯＭ（Read Only Memory）、ＲＡＭ（Random Access Memory）など含んで構成される。そして、ＲＯＭに記憶されたプログラムが制御部３０のＣＰＵ（Central Processing Unit）によって読み出されてＲＡＭに展開され、実行される。
【００２４】
人検知部３２は、撮像部２５から入力される画像情報に基づいて所定時間ごとに、在室者の頭部を含む人を検出し、当該人に関する情報を記憶部３６に格納する。ちなみに、「頭部を含む人を検出する」とは、頭部（頭領域）、肩部（肩領域）、および足部（足領域）を含む全身を検出する場合を含んでいる。
【００２５】
活動量検知部３３は、人検知部３２によって検知される人の位置および大きさ、または、顔の位置および大きさの経時的変化に基づいて、ラベリング値で対応付けられる在室者の移動量を算出する。そして、活動量検知部３３は、算出した移動量をラベリング値と対応付けて記憶部３６に出力する。次に、活動量検知部３３は、記憶部３６に記憶されている移動量に基づいて在室者の活動量を算出する。最後に、活動量検知部３３は、算出した活動量を前記したラベリング値と対応付けて、記憶部３６に出力する。なお、「移動量」とは、実世界の空間内において在室者が所定時間内に移動したと推定される距離を意味している。「活動量」とは、人の単位表面積あたりの代謝量［Ｗ／ｍ２］を意味し、前記した移動量と正の相関がある。
【００２６】
次にモード設定部３４の詳細について説明する。
<<実施形態１>>
図４は、実施形態１の室内の人数と活動量による除湿モードの選択を示す図である。モード設定部３４は、人検知部３２での検知された人の人数および活動量検知部３３で算出された人の活動量に応じて、弱冷房除湿運転または再熱除湿運転を選択・設定する。図４に示す例では、活動量が小さい状態で、かつ、人数が２人以下の場合、活動量が中程度の状態で、かつ、人数が１人以下の場合には、室内負荷が小さいと推定し、モード設定部３４は、除湿モードの際に、再熱除湿運転を選択・設定をする。それ以外の在室者の状態においては、モード設定部３４は、室内負荷が大きいと推定し弱冷房除湿運転を選択・設定をする。なお、人数のみ、または、活動量のみ検知し、簡易的に室内負荷を推定し、除湿の運転モードを決定してもよい。
【００２７】
図５は、実施形態１のモード設定部の処理を示すフローチャートである。モード設定部３４は、人検知部３２の検知結果に基づいて人の検知を判定し（ステップＳ７３）、人が検知されている場合（ステップＳ７３，Ｙｅｓ）、ステップＳ７５に進み、人を検知しない場合（ステップＳ７３，Ｎｏ）、弱冷房除湿運転を設定し（ステップＳ７９）、処理を終了する。
【００２８】
ステップＳ７５において、モード設定部３４は、人検知部３２の検知結果に基づいて検知された人の人数を検知し、１人の場合（ステップＳ７５，１人）ステップＳ７６に進み、２人の場合（ステップＳ７５，２人）ステップＳ７７に進み、３人以上の場合（ステップＳ７５，３人以上）弱冷房除湿運転を設定し（ステップＳ７９）、処理を終了する。
【００２９】
ステップＳ７６において、モード設定部３４は、活動量検知部３３で検知された活動量が小の場合、例えば活動量をＥとするとＥ＜Ｅ１の場合（ステップＳ７６，小）、再熱除湿運転を設定し、活動量が中の場合、例えばＥ１≦Ｅ≦Ｅ２の場合（ステップＳ７６，中）、モード設定部３４は再熱除湿運転を設定し、処理を終了する。一方、モード設定部３４は、活動量が大の場合、例えばＥ２＜Ｅの場合（ステップＳ７６，大）、弱冷房除湿運転を設定し（ステップＳ７９）、処理を終了する。
【００３０】
ステップＳ７７において、モード設定部３４は、活動量検知部３３で検知された活動量が小の場合、例えば活動量をＥとするとＥ＜Ｅ１の場合（ステップＳ７７，小）、再熱除湿運転を設定し、処理を終了する。一方、活動量が中の場合、例えばＥ１≦Ｅ≦Ｅ２の場合（ステップＳ７７，中）、モード設定部３４は弱冷房除湿運転を設定し、活動量が大の場合、例えばＥ２＜Ｅの場合（ステップＳ７７，大）、弱冷房除湿運転を設定し（ステップＳ７９）、処理を終了する。
【００３１】
実施形態１に係る空気調和機ＡＣは、室内の人を検知する人検知部３２（人検知手段）と、人検知部３２で検知された人の人数に応じて、冷房運転と再熱除湿運転とを切り替える空調制御部３５（空調制御手段）と、を有する。また、空気調和機ＡＣは、室内の人を検知する人検知部３２と、人検知部３２で検知された人の活動量を検知する活動量検知部３３と、活動量検知部３３で検知された人の活動量に応じて、冷房運転と再熱除湿運転とを切り替える空調制御部３５と、を有する。なお、空調制御部３５は、モード設定部３４の処理内容を含めている。
【００３２】
空調制御部３５は、人検知部３２で検知された人が所定人数以上であれば、冷房運転を行い、人検知部３２で検知された人が所定人数未満であれば、再熱除湿運転を行ってもよい。同様に、空調制御部３５は、活動量検知部３３で検知された人の活動量が所定活動量以上であれば、冷房運転を行い、活動量検知部３３で検知された人の活動量が所定活動量未満であれば、再熱除湿運転を行ってもよい。一方、空調制御部３５は、人検知部３２で人が検知されない場合、冷房運転を行うとよい。
【００３３】
本実施形態の空気調和機ＡＣは、在室者の人数が多い、活動量が大きい等、室内の負荷が大きく弱冷房除湿運転（冷房運転）でも在室者が肌寒く感じにくい状況では弱冷房除湿運転（冷房運転）を行い、逆に在室者が少ない、活動量が小さい等、室内の負荷が小さい状況では再熱除湿運転を行うことができる。
【００３４】
<<実施形態２>>
実施形態２は、在室者が肌寒く感じるか否かは風速の影響も大きいため、室内機２０と在室者（人）の距離に応じて除湿の運転モードを切り替える実施形態である。
【００３５】
図６は、実施形態２の室内の人までの距離による除湿モードの選択を示す図である。在室者までの距離がある程度遠い場合には在室者が冷風感を感じにくいため、モード設定部３４は、弱冷房除湿運転の選択・設定をする。逆にある程度近い場合には、在室者が肌寒く感じないよう、モード設定部３４は再熱除湿運転の選択・設定をし、室内機２０から吹き出す空気の温度が下がらないようにする。なお、在室者までの距離が中程度の場合には、図４で示した在室者の人数、活動量により除湿の運転モードを決定する。
【００３６】
図７は、実施形態２のモード設定部の処理を示すフローチャートである。図７において、図５と同一のステップには同一符号を付して、説明は省略する。
【００３７】
ステップＳ７３において、モード設定部３４は、人検知部３２の検知結果に基づいて人が検知されている場合（ステップＳ７３，Ｙｅｓ）、ステップＳ７４に進む。ステップＳ７４において、モード設定部３４は、人検知部３２の検知結果に基づいて検知された人の位置が近距離の場合、例えば距離をＬとするとＬ＜Ｌ１の場合（ステップＳ７４，近距離）、再熱除湿運転を設定し、処理を終了する。なお、検知された人が２人以上の場合は、室内機２０に近い人の位置で判定するとよい。
【００３８】
一方、モード設定部３４は、中距離の場合、例えばＬ１≦Ｌ≦Ｌ２の場合（ステップＳ７４，中距離）、ステップＳ７５に進み、遠距離の場合、例えばＬ２≦Ｌの場合（ステップＳ７４、遠距離）、弱冷房除湿運転を設定し（ステップＳ７９）、処理を終了する。
【００３９】
本実施形態に係る空気調和機ＡＣの空調制御部３５は、検知された人までの距離が所定距離以上であれば、冷房運転を設定し、検知された人までの距離が所定距離未満であれば、再熱除湿運転を行ってもよい。なお、空調制御部３５は、モード設定部３４の処理内容を含めている。
【００４０】
本実施形態の空気調和機ＡＣは、在室者までの距離が遠い等、弱冷房除湿運転でも在室者が肌寒く感じにくい状況では弱冷房除湿運転（冷房運転）を行い、逆に、在室者までの距離が近い等、肌寒く感じにくい状況では再熱除湿運転を行うことができる。
【００４１】
<<実施形態３>>
実施形態３は、室内の負荷としては室外温度も影響するため、室外温度を室内負荷の推定に用いる実施形態である。
【００４２】
図８は、実施形態３の室外温度による除湿モードの選択を示す図である。室外温度がある程度高温の場合、逆にある程度低温の場合には、在室者の状態よりも室外温度の影響度が高いため、在室者の人数、活動量によらず、モード設定部３４は、高温時には弱冷房除湿運転、低温時には再熱除湿運転の選択・設定を行う。なお、室外温度による負荷が室内負荷にそれほど影響しないような中程度の外気温の範囲では、図４で示した在室者の人数、活動量により、モード設定部３４は除湿の運転モードを決定する。
【００４３】
図９は、実施形態３のモード設定部の処理を示すフローチャートである。図９において、図５と同一のステップには同一符号を付して、説明は省略する。
【００４４】
ステップＳ７１において、モード設定部３４は、室外温度が低い場合、例えば室外温度をＴoutとするとＴout＜Ｔ１の場合（ステップＳ７１，低）、再熱除湿運転を設定し、処理を終了する。一方、モード設定部３４は、室外温度が中程度の場合、例えばＴ１≦Ｔout≦Ｔ２の場合（ステップＳ７１，中）、ステップＳ７３に進み、室外温度が高い場合、例えばＴ２＜Ｔoutの場合（ステップＳ７１、高）、弱冷房除湿運転を設定し（ステップＳ７９）、処理を終了する。
【００４５】
本実施形態に係る空気調和機ＡＣは、室外温度を検知する室外温度検知手段を有し、空調制御部３５は、室外温度が所定範囲内（例えば、例えばＴ１≦Ｔout≦Ｔ２の場合）である場合に、冷房運転と再熱除湿運転とを切り替えるとよい。なお、空調制御部３５は、モード設定部３４の処理内容を含めている。
【００４６】
本実施形態の空気調和機ＡＣは、室外温度を考慮して、在室者の人数が多い、活動量が大きい等、室内の負荷が大きく弱冷房除湿運転（冷房運転）でも在室者が肌寒く感じにくい状況では弱冷房除湿運転（冷房運転）を行い、逆に在室者が少ない、活動量が小さい等、室内の負荷が小さい状況では再熱除湿運転を行うことができる。
【００４７】
<<実施形態４>>
実施形態４は、室内の負荷としては室外温度、室内温度も影響するため、室外温度で負荷を推定する際に、室外温度と、室内温度または空気調和機の設定温度との温度差をもとに算出する実施形態である。
【００４８】
図１０は、実施形態４の室外温度と室内温度（設定温度）との温度差による除湿モードの選択を示す図である。室外温度と室内温度または設定温度との温度差をαとすると、温度差が十分高い場合（図１０の例ではα２＜α）には、モード設定部３４は、負荷が大きいと推定し弱冷房除湿運転の選択・設定を行い、温度差が余り無いような場合（図１０の例ではα＜α１）には、モード設定部３４は、負荷が小さいと推定し再熱除湿運転の選択・設定を行う。なお、室外温度と室内温度または設定温度との温度差αが中程度の場合（図示の例ではα１≦α≦α２）には、図４で示した在室者の人数、活動量によりモード設定部３４は、除湿の運転モードを決定する。
【００４９】
図１１は、実施形態４のモード設定部の処理を示すフローチャートである。図１１において、図５と同一のステップには同一符号を付して、説明は省略する。
【００５０】
ステップＳ７２において、モード設定部３４は、室外温度と室内温度または設定温度との温度差α（室内外温度差）が、α＜α１の場合（ステップＳ７２，α＜α１）、再熱除湿運転を設定し、処理を終了する。一方、モード設定部３４は、温度差αがα１≦α≦α２の場合（ステップＳ７２，α１≦α≦α２）、ステップＳ７３に進み、温度差αがα２＜αの場合（ステップＳ７２，α２＜α）、弱冷房除湿運転を設定し（ステップＳ７９）、処理を終了する。
【００５１】
本実施形態に係る空気調和機ＡＣは、室外温度を検知する室外温度検知手段と、室内温度を検知する室内温度検知手段とを有し、空調制御部３５は、室外温度と空気調和機の設定温度との温度差、または、室外温度と室内温度との温度差が所定範囲内（例えば、α１≦α≦α２）である場合に、弱冷房除湿運転または再熱除湿運転とを切り替えるとよい。なお、空調制御部３５は、モード設定部３４の処理内容を含めている。
【００５２】
本実施形態の空気調和機ＡＣは、室外温度と室内温度（設定温度）との温度差を考慮して、在室者の人数が多い、活動量が大きい等、室内の負荷が大きく弱冷房除湿運転（冷房運転）でも在室者が肌寒く感じにくい状況では弱冷房除湿運転（冷房運転）を行い、逆に在室者が少ない、活動量が小さい等、室内の負荷が小さい状況では再熱除湿運転を行うことができる。
【００５３】
<<実施形態５>>
実施形態１から実施形態４では、除湿モードとして、室内熱交換器全体を冷却する弱冷房除湿運転と一部を加熱し他方を冷却する再熱除湿運転の切り換えについて説明し、室内の負荷が小さく、室温が低下しやすい状況では再熱除湿運転を行うとしてきたが、これに限定されるわけではない。例えば、再熱除湿運転の代わりに一部分冷房除湿運転を行ってもよい。
【００５４】
一部分冷房除湿運転とは、弱冷房除湿運転と同じサイクルで運転するが、冷媒の循環量を十分少なくすることで、室内熱交換器２３の一部のみを冷却する除湿運転である。一部分冷房除湿運転では、室内熱交換器２３の大部分は冷却しないため、室内機２０の吹き出し温度の低下をある程度抑えることができる運転となる。ただし、室内熱交換器２３の一部しか冷却しないため、除湿の能力としては室内熱交換器２３全体を冷却する弱冷房除湿運転より劣る。
【００５５】
そのため、モード設定部３４は、室内の負荷が大きいときには、弱冷房除湿運転を選択・設定を行うことで除湿量を確保し、負荷が小さいときには、一部分冷房除湿運転（一部分冷房運転）を選択・設定を行うことで冷風感を抑えることにより、在室者に肌寒さを感じさせず、除湿量を確保した除湿運転が可能となる。
【００５６】
また、弱冷房除湿運転の制御しか搭載していない場合でも、室内の負荷を検出することで、ある程度快適性を維持した除湿運転が可能である。弱冷房除湿運転における室内を冷却する能力は、室内機２０から吹き出す風の風量に依存する。すなわち、人数が少ない、活動量が小さい等、室内負荷が小さいときには、室内機２０の風量を低くすることで、在室者に肌寒さを感じさせず、室内負荷が大きいときには、室内機２０の風量を高くし、除湿量を確保した除湿運転が可能となる。
【００５７】
すなわち、空調制御部３５は、人検知部３２で検知された人が所定人数未満の場合に、室内ファンの風量を所定範囲内にするとよい。また、空調制御部３５は、活動量検知部３３で検知された人の活動量が所定活動量未満の場合に、室内ファンの風量を所定範囲内にするとよい。また、空調制御部３５は、人検知部３２で検知された人までの距離が所定距離未満の場合に、室内ファンの風量を所定範囲内にするとよい。
【００５８】
本実施形態の空気調和機ＡＣは、在室者の人数が多い、活動量が大きい等、室内の負荷が大きく弱冷房除湿運転（冷房運転）でも在室者が肌寒く感じにくい状況では弱冷房除湿運転（冷房運転）を行い、逆に在室者が少ない、活動量が小さい等、室内の負荷が小さい状況では再熱除湿運転を行うことができる。
【符号の説明】
【００５９】
１０    室外機
１１    圧縮機
１２    冷暖切換え弁（四方弁）
１５    室外熱交換器
１８    室外絞り機構
２０    室内機
２１    室内機筐体
２３，２３ａ、２３ｂ    室内熱交換器
２４    除湿用絞り機構
２５    撮像部（撮像手段）
２６    送受信部
２７    空気吸込口
２９    空気吹出口
３０    制御部
３１    撮像制御部
３２    人検知部（人検知手段）
３３    活動量検知部（活動量検知手段）
３４    モード設定部（モード設定手段）
３５    空調制御部（空調制御手段）
３６    記憶部
４０    リモコン（空調制御端末）
６０    接続配管
ＡＣ    空気調和機
【図１】
2016176653.tif 000003
【図２】
2016176653.tif 000004
【図３】
2016176653.tif 000005
【図４】
2016176653.tif 000006
【図５】
2016176653.tif 000007
【図６】
2016176653.tif 000008
【図７】
2016176653.tif 000009
【図８】
2016176653.tif 000010
【図９】
2016176653.tif 000011
【図１０】
2016176653.tif 000012
【図１１】
2016176653.tif 000013